(57)【特許請求の範囲】
【請求項１】
少なくとも１つのホイールセット（２）を装備する少なくとも１つの構造（３）を有する計時器のムーブメント（１００）であって、
前記少なくとも１つの構造（３）に対する前記少なくとも１つのホイールセット（２）の軸線（Ｄ）に沿ったエンドシェークが調整可能であり、
ホイールセット（２）の少なくとも１つのベアリング（４）を有するエンドシェーク微細調整デバイス（１）によって、
前記少なくとも１つのベアリング（４）は、前記軸線（Ｄ）の軸方向において前記ホイールセット（２）のための少なくとも１つの軸方向止めメンバーを形成し、
当該エンドシェーク微細調整デバイス（１）は、前記軸方向における可変な厚みを有する第１の調整ステージ（５）を有し、
前記第１の調整ステージ（５）は、一方では、工具によって動かすためにアクセス可能であってベアリング（４）を装備する回転駆動手段（７）を備える第１の構成部品（６）を有し、
他方では、少なくとも１つの弾性戻し手段（９）によって前記第１の構成部品（６）から押される第２の構成部品（８）を有し、
前記第２の構成部品（８）は、少なくとも１つのケース（１０）を介して前記構造（３）に固定されており、
前記弾性戻し手段（９）は、少なくとも１つのケース（１０）を介して又は前記デバイス（１）を有するケース装備体（２０）によって前記構造（３）に支持され、  前記第１の調整ステージ（５）を有するケース（１０）を有し、
前記第２の構成部品（８）は前記ケース（１０）と全周にわたって固定され、
前記弾性戻し手段（９）は、前記ケース（１０）内で支持され、
前記少なくとも１つのケース（１０）は、少なくとも１つの第１の調整ステージ（５）を受けるカウンターボアを有し、
前記第１の構成部品（６）及び前記第２の構成部品（８）は、前記カウンターボアのボア内でガイドされる、
ことを特徴とする計時器のムーブメント（１００）。
【請求項２】
前記弾性戻し手段（９）は、前記少なくとも１つのケース（１０）を介して前記構造（３）に支持され、
前記第２の構成部品（８）は、軸方向における固定位置及び固定角度位置で前記ケース（１０）に固定される
ことを特徴とする請求項１に記載のムーブメント（１００）。
【請求項３】
前記弾性戻し手段（９）は、前記ケース（１０）に対する角度位置の指標を与える第１の手段（９１）を有し、
前記ケース（１０）は、前記第１の手段（９１）に対して相補的な第１の指標付け手段（１１）を有し、
前記弾性戻し手段（９）は、前記第１の構成部品（６）に対する角度上の配置用の第２の指標付け手段（９２）を有する
ことを特徴とする請求項２に記載のムーブメント（１００）。
【請求項４】
前記第１の構成部品（６）は、角度位置に応じて軸方向において漸進する第１の接触面（１６）を有し、
前記第２の構成部品（８）は、角度位置に応じて軸方向において漸進する第２の接触面（１８）を有し、
前記第２の接触面（１８）は、前記弾性戻し手段（９）のばね作用の下で前記第１の接触面（１６）に接して連係している
ことを特徴とする請求項１〜３のいずれかに記載のムーブメント（１００）。
【請求項５】
少なくとも前記第１の接触面（１６）又は前記第２の接触表面（１８）は、
軸方向に垂直なすべての放射状の線に幅全体にわたって接する少なくとも１つの環状のらせん状のカムパスを有する
ことを特徴とする請求項４に記載のムーブメント（１００）。
【請求項６】
少なくとも前記第１の接触面（１６）又は前記第２の接触面（１８）は、それぞれ軸方向に垂直なすべての放射状の線に幅全体にわたって接する少なくとも１つの環状のらせん状のカムパスを有する
ことを特徴とする請求項５に記載のムーブメント（１００）。
【請求項７】
前記第１の接触面（１６）及び前記第２の接触面（１８）は、それぞれ同じ角度振幅を有する同数のカムパスを有し、
同じカムピッチを有し、互いが相補的な輪郭を有するように形成されている
ことを特徴とする請求項６に記載のムーブメント（１００）。
【請求項８】
前記第２の構成部品（８）は、軸方向における可変な厚みを有する少なくとも１つの他のスムースな調整ステージ（５０）によって前記構造（３）に固定され、
一方では、工具によって動かすためにアクセス可能な回転駆動手段（７０）を備える第３の構成部品（６０）を有し、
前記第３の構成部品（６０）は、前記第２の構成部品（８）と一体であり、前記第２の接触面（１８）と反対側に第３の接触面（１６０）を有し、
他方では、前記少なくとも１つの弾性戻し手段（９）によって前記第３の構成部品（６０）から押される第４の構成部品（８０）を有し、
前記第４の構成部品（８０）は、前記第３の接触面（１６０）と連係する第４の接触面（１８０）を備え、
前記第４の構成部品（８０）は、直接、又は少なくとも１つの他の調整ステージによって、前記構造（３）に固定される
ことを特徴とする請求項１〜７のいずれかに記載のムーブメント（１００）。
【請求項９】
前記第２の構成部品（８）は、前記カウンターボア（３０）に設けられた肩部（３３）に全周にわたって固定されるカラー（８１）を有する
ことを特徴とする請求項１〜８のいずれかに記載のムーブメント（１００）。
【請求項１０】
請求項１〜９のいずれかに記載のムーブメント（１００）を少なくとも１つ有する計時器（２００）。
【発明の詳細な説明】
【技術分野】
【０００１】
本発明は、少なくとも１つのホイールセットを装備する少なくとも１つの構造を有する計時器のムーブメントに関し、これにおいて、前記少なくとも１つの構造に対する前記少なくとも１つのホイールセットの旋回軸に沿ったエンドシェーク（縦あがき）が調整可能であり、ホイールセットの少なくとも１つの旋回ベアリングを有するエンドシェーク微細調整デバイスによって、前記少なくとも１つの旋回ベアリングは、前記軸の軸方向にて前記ホイールセットのための少なくとも１つの軸方向止めメンバーを定め、当該エンドシェーク微細調整デバイスは、前記軸方向における可変な厚みを有する第１の円滑な調整ステージを有し、前記第１の調整ステージは、一方では、工具によって動かすためにアクセス可能であってベアリングを装備する旋回駆動手段を備える第１の構成部品を有し、他方では、少なくとも１つの弾性戻し手段によって前記第１の構成部品から押される第２の構成部品を有し、前記第２の構成部品は、直接、又は少なくとも１つのケースを介して前記構造に固定されており、前記弾性戻し手段は、直接、又は少なくとも１つのケースを介して又は前記デバイスを有するケース装備体によって前記構造に支持され、前記第１の調整ステージを有するケースを有し、前記第２の構成部品は前記ケースと全周にわたって固定され、前記弾性戻し手段は、前記ケース内で支持され、前記少なくとも１つの構造は、少なくとも１つの第１の円滑な調整ステージを受けるカウンターボアを有し、前記第１の構成部品及び前記第２の構成部品は、前記カウンターボアのボア内でガイドされ、前記第２の構成部品は、前記構造に直接固定され、前記弾性戻し手段は、前記カウンターボアの底に支持されている。
【０００２】
本発明は、さらに、当該種類の少なくとも１つのムーブメントを有する計時器に関する。
【０００３】
本発明は、計時器のムーブメントの分野に関し、より具体的には、計時器のホイールセットの支持及び調整の分野に関する。
【背景技術】
【０００４】
計時器のホイールセットのエンドシェークの調整は、難しい操作であって、高度に熟練した者によって行われている。これは、構造用部材、棒体等の弾性変形によって、あるいは宝石を動かして外してから元に戻すことによって、しばしば行われる。機構が調整手段を備えているのは希である。要求される調整範囲が非常に小さく、すなわち、数μｍであったり、高々数百分の１ｍｍであり、このような値は、雄ねじ−雌ねじのような伝統的な微細手段を使用してできるものではない。要求される調整範囲よりも大きい動作遊びが要求されるためである。また、調整機構において必要な空間が、計時器のムーブメントの空間で十分なことは希である。
【０００５】
ＢＵＲＥＡＵ  ＴＥＣＨＮＩＱＵＥ  ＥＲＡＲＤ名義のスイス特許出願第３３９１３６Ａ号公報は、ベアリング体を形成するメンバーと、及び少なくとも１つの宝石ホールを装備する中央メンバーとの同心配置を有する計時器ベアリングを記載している。この中央のメンバーの軸方向における位置は、ベアリング体に対して回転させることによって、調整することができる。
【０００６】
ＳＥＩＴＺ  ＆  ＣＯ名義のスイス特許出願第３５６０９０Ａ号公報には、突出部の１つを有するベアリング体に取り外し可能なように取り付けられた軸方向止めメンバーを備えたベアリングが記載されており、この突出部は、軸方向止めメンバーを形成する台に設けられたらせん状の傾斜路と連係している。
【０００７】
ＲＯＢＩＮＳＯＮ名義の米国特許第４１９２１３６号公報には、らせん状の傾斜区画の連係に基づいた計時器における軸調整機構を記載している。
【０００８】
ＳＥＩＫＯ（ＦＵＪＩＥＤＡ  ＨＩＳＡＳＨＩ）名義の米国特許出願第２０１０／１８８９４１号公報では、完全に軸方向の調整構成を有するベアリング構造を記載しており、これは、ベース体に対するホイールアーバーのフロントエンド部分を回転させながら支持し、ベアリングと、前記ベアリングを装備し、ホイールアーバーの外周面に雄ねじ部分を有するベアリング支持体と、ベアリング支持体の雄ねじ部分とねじ係合する雌ねじ部分を備える調整ナットとを備え、この調整ナットは、ベースボデーによってホイールアーバーが延びる方向にムーブメント内で調整され、ベアリング支持メンバーによってアーバーが延びる方向に対してベアリングの位置を調整するように構成している。
【発明の概要】
【発明が解決しようとする課題】
【０００９】
本発明は、計時器機構においてエンドシェーク微細調整機能を導入することを提案するものであり、これは、より小さな厚みにて、数μｍ単位の調整が可能な感度を有し、エンドシェークの調整が必要なホイールセットベアリングを収容する構造部品の限定範囲内かつ廉価な変換によって既存のムーブメントに適応可能である。本発明は、工具を使用する外部操作によって、組み立て済みの組立体を分解せずにエンドシェーク調整を可能にする。
【課題を解決するための手段】
【００１０】
本発明は、少なくとも１つのホイールセットを装備する少なくとも１つの構造を有する計時器のムーブメントに関し、これにおいて、前記少なくとも１つの構造に対する前記少なくとも１つのホイールセットの旋回軸に沿ったエンドシェークが調整可能であり、ホイールセットの少なくとも１つの旋回ベアリングを有するエンドシェーク微細調整デバイスによって、前記少なくとも１つの旋回ベアリングは、前記軸の軸方向にて前記ホイールセットのための少なくとも１つの軸方向止めメンバーを定め、当該エンドシェーク微細調整デバイスは、前記軸方向における可変な厚みを有する第１の円滑な調整ステージを有し、前記第１の調整ステージは、一方では、工具によって動かすためにアクセス可能であってベアリングを装備する旋回駆動手段を備える第１の構成部品を有し、他方では、少なくとも１つの弾性戻し手段によって前記第１の構成部品から押される第２の構成部品を有し、前記第２の構成部品は、直接、又は少なくとも１つのケースを介して前記構造に固定されており、前記弾性戻し手段は、直接、又は少なくとも１つのケースを介して又は前記デバイスを有するケース装備体によって前記構造に支持され、前記第１の調整ステージを少なくとも有するケースを有し、前記第２の構成部品は前記ケースと全周にわたって固定され、前記弾性戻し手段は、前記ケース内で支持されている。
【００１１】
本発明の特定の特徴によって、前記弾性戻し手段は、前記少なくとも１つのケースを介して前記構造に支持され、前記第２の構成部品は、軸方向における固定位置及び固定角度位置で前記ケースに固定される。
【００１２】
本発明の特定の特徴によって、前記弾性戻し手段は、前記ケースに対する角度位置の指標を与える第１の手段を有し、前記ケースは、前記第１の手段に対して相補的な第１の指標付け手段を有し、前記弾性戻し手段は、前記第１の構成部品に対する角度上の配置用の第２の指標付け手段を有する。
【００１３】
本発明の特定の特徴によって、前記第１の構成部品は、角度位置に応じて軸方向において漸進する第１の接触面を有し、前記第２の構成部品は、角度位置に応じて軸方向において漸進する第２の接触面を有し、前記第２の接触面は、前記弾性戻し手段の作用の下で前記第１の接触面に接して連係している。
【００１４】
本発明の特定の特徴によって、少なくとも第１の接触面又は第２の接触表面は、軸方向に垂直なすべての放射状の線に幅全体にわたって接する少なくとも１つの環状のらせん状のカムパスを有する。
【００１５】
本発明の特定の特徴によって、少なくとも第１の接触面又は第２の接触面は、それぞれ軸方向に垂直なすべての放射状の線に幅全体にわたって接する少なくとも１つの環状のらせん状のカムパスを有する。
【００１６】
本発明の特定の特徴によって、前記第１の接触面及び前記第２の接触面は、それぞれ同じ角度振幅を有する同数のカムパスを有し、同じカムピッチを有し、互いが相補的な輪郭を有するように構成されている。
【００１７】
本発明は、さらに、当該種類の少なくとも１つのムーブメントを有する計時器に関する。
【００１８】
添付図面を参照しながら下記の詳細な説明を読むことで、本発明の他の特徴及び利点を理解できるであろう。
【図面の簡単な説明】
【００１９】
【図１】本発明に係る計時器のホイールセット用のエンドシェーク微細調整デバイスの概略的な斜視図を示す。これは、溝における工具によって操作することができる軸方向においてベアリングの位置を調整する手段を有するケース装備体の第１の変形例の形態で示されている。
【図２】図１に示すケース装備体の構成部品の概略的な分解斜視図を示す。
【図３】３つのらせん状のカムセクションによって形成された第１の漸進する接触面を有する第１の構成部品の概略的な斜視図を示す。
【図４】図３の第１の接触面に対して相補的である３つのらせん状のカムセクションによって形成された第２の漸進する接触面を有する第２の構成部品の概略的な斜視図を示す。
【図５】少なくとも１つの弾性戻し手段の概略的な斜視図を示し、図３の第１の構成部品を図４に示す第２の構成部品に押しつける、押し込まれたばねの形態で作られており、これらの第１の構成部品と第２の構成部品は、ともに第１のエンドシェーク調整ステージを構成する。
【図６】２つの調整ステージを備えたケース装備体の第２の変形例の概略的な斜視図を示す。
【図７】図６のケース装備体の構成部品の概略的な分解斜視図を示す。
【図８】図１のケース装備体のホイールセットの旋回軸を通る断面の概略的な断面図を示す。
【図９】本発明に係るベアリングエンドシェーク調整機構を採り入れたカウンターボアを有する構造のホイールセットの旋回軸を通る断面の概略的な断面図を示す。
【図１０】本発明の有利な実施形態の部分図を図８と同様な形態で示す。
【図１１】ホイールセットを装備する構造を有する計時器のムーブメントを有する計時器をブロック図の形態で示しており、これにおいて、当該構造に対するエンドシェークが本発明に係る微細調整デバイスによって調整可能である。
【発明を実施するための形態】
【００２０】
本発明は、計時器のホイールセットのガイド及び調整の分野に関する。
【００２１】
ホイールセットのための単一の旋回ガイドベアリングのエンドシェーク調整に対して本発明を説明する。当然、ホイールセットの各旋回ガイドベアリングを同様な機構で装備することも可能である。
【００２２】
本発明は、さらに、少なくとも１つのホイールセット２を装備する少なくとも１つの構造３を有する計時器のムーブメント１００に関する。この少なくとも１つの構造３に対する少なくとも１つのホイールセット２のエンドシェークを、軸線Ｄに沿って調整可能である。これは、エンドシェーク微細調整デバイス１によって又はケース装備体２０によって、行うことができる。
【００２３】
エンドシェーク微細調整デバイス１は、ホイールセット２のための少なくとも１つのベアリング４を有する。当該少なくとも１つのベアリング４は、軸線Ｄの軸方向においてホイールセット２用の少なくとも１つの軸方向止めメンバーを形成する。デバイス１は、軸方向に可変な厚みを有する少なくとも１つの円滑な調整ステージ５（すなわち、雌ねじや雄ねじなしで）を有する。当該調整ステージ５は、一方では、工具によって動かすためにアクセス可能であってベアリング４を装備する回転駆動手段７を備えた第１の構成部品６を有し、また、他方では、少なくとも１つの弾性戻し手段９によって第１の構成部品６から押される第２の構成部品８を有する。この第２の構成部品８は、直接、又は少なくとも１つのケース１０によって構造３に固定されている。弾性戻し手段９は、直接、又は少なくとも１つのケース１０によって構造３に支持されている。
【００２４】
ケース装備体２０は、デバイス１を有し、少なくとも１つの第１の調整ステージ５を有するケース１０を有し、ここにおいて、第２の構成部品８は、ケース１０に全周にわたって固定され、弾性戻し手段９は、ケース１０の内部で支持されている。
【００２５】
本発明によると、当該少なくとも１つの構造３は、図９に示すように、少なくとも１つの第１の円滑な調整ステージ５を受けるカウンターボア３０を有し、これにおいて、第１の構成部品６及び第２の構成部品８は、カウンターボア３０のボア３２にガイドされ、第２の構成部品８は、構造３に直接固定され、弾性戻し手段９は、カウンターボア３０の底３１に支持されている。
【００２６】
したがって、計時器のホイールセット２は、キャリア構造３に対して軸線Ｄを中心に回転する。構造３に対するホイールセット２のエンドシェーク微細調整用デバイス１は、ホイールセット２のための少なくとも１つのベアリング４を有する。このベアリング４は、軸線Ｄの軸方向にてホイールセット２用の少なくとも１つの軸方向止めメンバーを形成する。「ベアリング」４は、広義な意味で、ホイールセット２をガイドする機能を意味する。すなわち、実際の回転のガイド、任意の軸の支持体、任意の抗衝撃ダンパーであり、ベアリング４は、一又は複数の部分にあり、特に、シリコンを使用する「Ｌｉｇａ」又は「ＭＥＭＳ」技術によって単一の部品として作ることができ、放射状のガイド、軸の支持体、及び衝撃のダンピングを導入することができる。
【００２７】
本発明によれば、デバイス１は、少なくとも第１の調整ステージ５を有し、これは、スムースであり（雌ねじ又は雄ねじがない）、構成部品の相対的な調整に応じて、軸方向において可変な厚みを有し、一方では、工具（ねじ回し又はレンチ等）を動かすためにアクセス可能であってベアリング４を装備する回転駆動手段７を備えた第１の構成部品６を有し、また、他方では、少なくとも１つの弾性戻し手段９によって第１の構成部品６から押される第２の構成部品８を有する。
【００２８】
この第２の構成部品８は、図９の変形例におけるように直接、又は図１、２、６及び８におけるように少なくとも１つのケース１０を介して構造３に固定されている。また、図６及び７におけるように軸方向に可変な厚みを有する少なくとも１つの他の調整ステージ５０を介して構成部品８を固定することも想定することができる。これは、各ステージを角度的にロックできるということを前提とする。
【００２９】
弾性戻し手段９は、図９の変形例におけるように直接、又は図１、２、６〜８におけるように少なくとも１つのケース１０を介して構造３に支持されている。
【００３０】
図１、２、６〜８のケースにおいては、弾性戻し手段９は、少なくとも１つのケース１０を介して構造３に支持され、第２の構成部品８は、軸方向における固定位置及び固定角度位置でケース１０に固定されている。
【００３１】
特定の一実施形態において、図２、５及び９に見られるように、弾性戻し手段９（押し込まれたばねの形態で作られる）は、ケース１０に対する角度上の配置のために、周辺部の爪やノッチのような第１の指標付け手段９１を有し、これは、ノッチ、対応するボスのような相補的な第１の指標付け手段１１を有する。弾性戻し手段９は、さらに、第１の構成部品６に対する角度上の配置のための突起やノッチのような第２の指標付け手段９２を有し、これは、それぞれノッチや突起のような対向する相補的な手段（図を複雑にしないように図示せず）を有する。
【００３２】
図示した好ましい実施形態において、第１の構成部品６は、角度位置に応じて軸方向において漸進する第１の接触面１６を有し、第２の構成部品８は、角度位置に応じて軸方向において漸進する第２の接触面１８を有する。この第２の接触面１８は、少なくとも１つの弾性戻し手段９の作用の下で第１の接触面１６に接して連係している。
【００３３】
第１の構成部品６及び第２の構成部品８によって形成される相対的角度に応じて、接触面が特定の高さに対応し、よって、これらの２つの構成部品を積み重ねることによって形成されたステージ５の全体の厚さは、それらの間の角度上のオフセットに依存する。有利なことに、与えられたオフセット角が特定の総厚み値に対応して再現性を得られるように、接触面を作ることができ、必要であれば、結果としてもたらされるエンドシェークの可変性をユーザーに示すために、回転駆動手段７（ここでは、直線状の放射状の溝）に対向するように、第２の構成部品８のビジュアル面に目盛りを付すことを可能にする。
【００３４】
図示した好ましい変形例において、少なくとも第１の接触面１６又は第２の接触面１８は、軸方向に垂直なすべての放射状の線に対して幅全体にわたって接する、少なくとも１つの環状のらせん状のカムパスを有する。対向する接触面は、別のカム、一連の段、一連のボス又はノッチのような起伏要素を有することができる。また、接触面のそれぞれは、これらの例の１つに従って作ることができる。なお、本発明の場合、非常に精密なピッチカムを備えた変形例が好ましい。なぜなら、これによって、連続的な調整、大きな角度的クリアランスのために非常に低い軸方向の変化を可能にし、よって、高感度を可能にする。また、低いカム傾斜によって、カムを特定位置に保持する十分な摩擦を確保できる。弾性戻し手段９によってもたらされる摩擦は、同一位置保持機能を果たす。
【００３５】
図の好ましい変形例において、第１の接触面１６及び第２の接触面１８の両方は、少なくとも１つの環状のらせん状のカムパスを有し、これは、軸方向に垂直なすべての放射状の線に対して幅全体にわたって接触する。
【００３６】
より具体的には、第１の接触面１６及び第２の接触面１８はそれぞれ、同数のカムパス（ここでは、３つ）を有し、これらは、同じ角度振幅を有し、同じカムピッチを有し、相補的な輪郭を有するように形成する。小さな傾斜のこれらのカムは、さらに、小さな厚みを有し、これは、空間の節約のため、また、平坦ないし超平坦なムーブメント内にエンドシェーク調整デバイス１を内蔵させるために好ましい。
【００３７】
図１０は、特定の一実施形態の詳細を示し、ここにおいて、弾性戻し手段９は、球状のカロット（縁なし帽）体に入れられた押し込まれたばねであり、第１の構成部品６は、放射方向にガイドするためにケース１０の対向する面１０２と連係するガイド面６２を有する。第１の構成部品６は、さらに、指標付け手段９２を形成するばね９の突起９２の回転を受けて止めるためのハウジング６１を有し、ハウジング６１は、相補的な指標付け手段を形成する。
【００３８】
本発明は、さらに、例えば、数μｍ単位の値での調整を可能にするような、より広い調整範囲を享受するために、いくつかの調整ステージを組み合わせることを可能する。この場合、第２の構成部品８は、軸方向における可変な厚みを有する少なくとも１つの他の調整ステージ５０を介して構造３に固定される。この他のステージ５０の構成は、第１の調整ステージ５の構成と同様であることが好ましく、一方では、工具によって動かすためにアクセス可能な旋回駆動手段７０が設けられた第３の構成部品６０を有し、この第３の構成部品６０は、第２の構成部品８と一体であり、第２の接触面１８と反対側に第３の接触面１６０を有し、他方では、第３の接触面１６０と連係する第４の接触面１８０を備えた第４の構成部品８０を有し、この第４の構成部品８０は、直接、又は少なくとも１つの他の調整ステージを介して構造３に固定されている。図６及び７は、同心状の調整手段７、７０を備えた２つのステージ５及び５０を有する当該種類の組立体を示しており、これは、同じ側の操作者からアクセス可能である。
【００３９】
本発明は、さらに、当該種類のデバイス１を有するケース装備体２０に関する。これは、好ましくは、当該種類のケース１０を有し、これは、少なくとも１つの第１の調整ステージ５を有し、第２の構成部品８はケース１０と全周にわたって固定され、弾性戻し手段９がケース１０の内部で支持されている。このケース装備体２０は、構造３のボア又はカウンターボアに収容するのが容易である小さな厚みを有する完全な微細調整手段を形成する。これは、ベアリング４と、放射状のガイド、軸ベアリング及びショック吸収の各機能のすべて又は一部とを統合して、特定のカボションを形成し、これは、伝統的なカボションの空間よりもかろうじて大きな同様な大きさの空間内において軸調整を行うという長所がある。当然、ケース１０は、スムースなボアにおける組み立てのために、板体又は棒体の面に支持される外部の肩部を有することができる。当該構造のカウンターボアにおいて組み立てられる場合には、ケース１０は円筒状の外径形状を有していてもよく、腕時計業者に知られているいずれの方法によって駆動されても固定されていてもよい。
【００４０】
本発明は、さらに、少なくとも１つのホイールセット２を装備する少なくとも１つの構造３を有する計時器のムーブメント１００に関する。この少なくとも１つのホイールセット２の少なくとも１つの構造３に対するエンドシェークは、微細調整デバイス１によって又はケース装備体２０によって調整可能である。
【００４１】
図９に示した実施形態では、ムーブメント１００は構造３を有し、この構造３は、雌ねじ及び雄ねじがない少なくとも１つの第１の調整ステージ５を受けるカウンターボア３０を有する。ステージ５の第１の構成部品６及び第２の構成部品８は、カウンターボア３０のボア３２にガイドされ、第２の構成部品８は、構造３に直接固定されており、弾性戻し手段９は、カウンターボア３０の底３１に支持されている。図示した特定の一実施形態において、第２の構成部品８は、カウンターボア３０に設けられた肩部３３と全周にわたって固定されたカラー８１を有する。
【００４２】
本発明は、さらに、このようなムーブメント１００の少なくとも１つを有する計時器２００に関する。
【００４３】
異なる調整範囲を有するケース装備体の利用によって、同じ大きさの外部空間に対して、いくつかの種類のケース（狭い調整範囲又は反対に非常に広い調整範囲を有するもの）を適応させることを可能にする。第１及び第２の構成部品、及びケースは、ミクロ注入、又は「ＭＥＭＳ」タイプの技術によって作ることができ、機械加工を必要としない。これに対し、弾性戻し手段を形成するばねはスタンピングによって形成し切り取ることができる。唯一必要な機械加工は、本発明に係るデバイスを受ける構造の機械加工である。
【００４４】
すなわち、本発明は、高感度、通常の資格を有する腕時計製造業人員がアクセス可能な、調整の容易さ、小型化、及び製造コスト削減の目的を達成する。本発明は、単に板体又は棒体におけるボア又はカウンターボアの機械加工によって、既存の口径を容易に変更して、エンドシェーク調整機能を取り入れ、測時性能を改善することを可能にし、よって、関心事の口径を採り入れた計時器の拡張を可能にする。
【図１】
0005873531.tif 000002
【図２】
0005873531.tif 000003
【図３】
0005873531.tif 000004
【図４】
0005873531.tif 000005
【図５】
0005873531.tif 000006
【図６】
0005873531.tif 000007
【図７】
0005873531.tif 000008
【図８】
0005873531.tif 000009
【図９】
0005873531.tif 000010
【図１０】
0005873531.tif 000011
【図１１】
0005873531.tif 000012